(57)【要約】      （修正有）【課題】無汚染と低消費電力を可能にするエネルギー貯蔵空調機を提供する。【解決手段】箱体１と、エネルギー貯蔵筒２と、送風装置３とからなる。箱体１は、内部に容器１１が設けられ、容器１１外部には複数のフィン１１１が設けられる。エネルギー貯蔵筒２は、冷・熱溶液を入れるために用いられるとともに、容器１１内に設けられる。送風装置３は、箱体１頂部に結合され、且つ箱体１内の容器１１と連通する。以上の構造により、エネルギー貯蔵筒２内の冷（或いは熱）エネルギーは、容器１１における複数のフィン１１１によって伝動されるとともに、送風装置３のファンによって外部の空気中に放出される。このように周囲の温度を調整することにより、従来の空調設備におけるコンプレッサーの高消費電力、及び使用冷媒による環境汚染を解消できる。【選択図】図１
0003193517.tif 000002
【実用新案登録請求の範囲】
【請求項１】
箱体と、エネルギー貯蔵筒と、送風装置とからなるエネルギー貯蔵空調機であって、
前記箱体内部には、容器が設けられ、
前記容器は、収容スペースを有するとともに、前記容器外部には複数のフィンが設けられ、
更に前記箱体には、少なくとも一つの吸風口が設けられ、
前記エネルギー貯蔵筒は、冷・熱溶液を入れるために前記容器の収容スペースに設けられ、
前記送風装置は、前記箱体頂部に結合されるとともに、ケース体と、ファンモジュールと、制御モジュールとからなり、
前記ケース体は、前記箱体頂部に結合されるとともに、前記ケース体の一側壁には吹出口が設けられ、且つ前記ケース体の底部には開口が設けられることにより、前記ケース体と前記箱体が連通し、
前記ファンモジュールは、前記ケース体内に設けられ、
前記制御モジュールは、前記ケース体内に設けられるとともに、前記ファンモジュールの変速を制御するために前記ファンモジュールと電気的に接続されることを特徴とする、エネルギー貯蔵空調機。
【請求項２】
前記箱体底部には、複数の滑車が設けられることを特徴とする、請求項１に記載のエネルギー貯蔵空調機。
【請求項３】
前記エネルギー貯蔵筒は、内部に中空部が設けられるとともに、所定の冷・熱溶液を前記エネルギー貯蔵筒内に入れるための充填口が少なくとも一つ設けられることを特徴とする、請求項１に記載のエネルギー貯蔵空調機。
【請求項４】
前記ケース体における前記吹出口には、複数の風向調整プレートと、少なくとも一つのフィルターが設けられることを特徴とする、請求項１に記載のエネルギー貯蔵空調機。
【請求項５】
前記ケース体における前記開口周縁には、突出した凸部が設けられ、
前記凸部外周には、前記ケース体と前記箱体を隙間なく結合するための密封ガスケットが少なくとも一つ嵌められることを特徴とする、請求項１に記載のエネルギー貯蔵空調機。
【請求項６】
前記容器の収容スペースには、液体が入れられ、
前記エネルギー貯蔵筒は、前記液体に浸かった状態となることを特徴とする、請求項１に記載のエネルギー貯蔵空調機。
【請求項７】
前記制御モジュールは、所定の外部電源と電気的に接続されるとともに、前記所定の外部電源から前記制御モジュールへ電力が送られ、
前記電力は、前記制御モジュールを経由して前記ファンモジュールへ送られることを特徴とする、請求項１に記載のエネルギー貯蔵空調機。
【請求項８】
前記所定の外部電源は、住宅用電気・電池・太陽光パネルのうちのいずれか一つ、或いは複数の電力であることを特徴とする、請求項７に記載のエネルギー貯蔵空調機。
【請求項９】
前記箱体には、少なくとも一つの第一係止部品が設けられ、
前記ケース体には、少なくとも一つの第二係止部品が設けられ、
前記第一係止部品と前記第二係止部品は、互いに係止するように対応することを特徴とする、請求項１に記載のエネルギー貯蔵空調機。
【請求項１０】
前記箱体は、前記送風装置と接続されるために、少なくとも一つのヒンジが設けられることを特徴とする、請求項１に記載のエネルギー貯蔵空調機。
【考案の詳細な説明】
【技術分野】
【０００１】
本考案は、エネルギー貯蔵空調機に関し、特に無汚染と低消費電力を可能にする、エネルギー貯蔵空調機に関する。
【背景技術】
【０００２】
環境保護に関する意識の高まりに伴い、省エネ・二酸化炭素削減という概念が重視されるようになってきており、特に再生エネルギーの開発及び利用は、世界各国が積極的に参入、推進している重点分野である。この主な要因としては、化石エネルギーが将来的に枯渇する可能性があるという近年の事情が挙げられる。加えて、化石エネルギーは使用過程において二酸化炭素を生じたり、不完全な反応によって一酸化炭素・炭素粒子・窒素酸化物を生じたりする。特に二酸化炭素の排出は、地球温暖化の影響を日増しに悪化させており、異常気象や自然災害の頻発を招いている。よって、現在各国は、如何にして化石エネルギーの使用を削減するかという問題を非常に重視しており、再生エネルギーの発展、及び無汚染の電動式乗り物（例えば、電気自動車）を積極的に推進している。
【０００３】
電動式乗り物は、電池を主な電源供給源としているため走行可能距離（航続距離）が電池の蓄電量によって制限されるうえ、快適にするために冷暖房空調設備を増設しなければならない。しかし、従来の冷暖房空調設備に使用されているコンプレッサーは、消費電力が多く、結果として電動式乗り物の走行可能距離（航続距離）が低下してしまう。更に、従来の冷暖房空調設備に使用されている冷媒は、環境汚染の原因となる。
【考案の概要】
【考案が解決しようとする課題】
【０００４】
本考案は、無汚染と低消費電力を可能にする、エネルギー貯蔵空調機を提供することを目的とする。
【課題を解決するための手段】
【０００５】
上述の目的を達成するため、本考案は、箱体と、エネルギー貯蔵筒と、送風装置とからなる。箱体は、内部に容器が設けられ、容器外部には複数のフィンが設けられる。エネルギー貯蔵筒は、内部に中空部が設けられて、冷・熱溶液が入れられることにより、冷・熱エネルギーの供給源となる。送風装置は、箱体頂部に結合されるとともに、箱体内の容器と連通し、且つ送風装置にはモーター駆動のファンモジュールが設けられる。以上の構造により、エネルギー貯蔵筒内の冷（或いは熱）エネルギーは、容器における複数のフィンによって均一に伝動されるとともに、送風装置のファンによって外部の空気中に放出される。
【考案の効果】
【０００６】
本考案は、以上の構造によって周囲の温度を調整することにより、無汚染と低消費電力を実現し、従来の空調設備におけるコンプレッサーの高消費電力、及び使用冷媒による環境汚染を解消できる。
【図面の簡単な説明】
【０００７】
【図１】本考案のエネルギー貯蔵空調機を示した分解図である。
【図２】本考案のエネルギー貯蔵空調機の外観を示した概略図である。
【図３】本考案のエネルギー貯蔵空調機における送風装置を示した透視図である。
【図４】本考案のエネルギー貯蔵空調機における箱体を示した概略図である。
【図５】本考案のエネルギー貯蔵空調機における一部の構造を示した俯瞰図である。
【考案を実施するための形態】
【０００８】
図１〜図５を参照する。本考案のエネルギー貯蔵空調機は、箱体１と、エネルギー貯蔵筒２と、送風装置３とからなる。
【０００９】
箱体１内部には、容器１１が設けられる。容器１１は、収容スペース１１０を有するとともに、容器１１外部には複数のフィン１１１が設けられる。更に、箱体１には、少なくとも一つの吸風口１２が設けられ、箱体１底部には複数の滑車１３が設けられる。前述の容器１１は、金属素材からなる。
【００１０】
エネルギー貯蔵筒２は、容器１１の収容スペース１１０に設けられるとともに、エネルギー貯蔵筒２内部には中空部が設けられる。また、エネルギー貯蔵筒２には、少なくとも一つの充填口２１が設けられ、充填口２１から所定の冷・熱溶液がエネルギー貯蔵筒２内に入れられる。前述のエネルギー貯蔵筒２は、金属素材からなる。
【００１１】
送風装置３は、箱体１頂部に結合されるとともに、ケース体３１と、ファンモジュール３２と、制御モジュール３３とからなる。前述したケース体３１は、箱体１頂部に結合されるとともに、一側壁に吹出口３１１が設けられ、且つ底部に開口３１２が設けられることにより、ケース体３１と箱体１が連通する。更に、ケース体３１における吹出口３１１には、複数の風向調整プレート３１３と、少なくとも一つのフィルター３１４が設けられ、且つケース体３１における開口３１２周縁には、突出した凸部３１５が設けられる。凸部３１５外周には、少なくとも一つの密封ガスケット３１６が嵌められ、密封ガスケット３１６によってケース体３１と箱体１が隙間なく結合される。前述したファンモジュール３２は、ケース体３１内に設けられるとともに、モーターとインペラーが結合されてなる。前述した制御モジュール３３は、ケース体３１内に設けられるとともに、ファンモジュール３２と電気的に接続されてファンモジュール３２の変速を制御し、且つ制御モジュール３３は所定の外部電源と電気的に接続される。まず、所定の外部電源から制御モジュール３３へ電力が送られ、次に制御モジュール３３を経由してファンモジュール３２へ電力が送られることにより、ファンモジュール３２の回転が制御される。前述した所定の外部電源は、住宅用電気・電池・太陽光パネルのうちのいずれか一つ、或いは複数の電力である。
【００１２】
前述した容器１１の収容スペース１１０には、液体４が入れられることにより、エネルギー貯蔵筒２が液体４中に浸かった状態となる。容器１１とエネルギー貯蔵筒２は、いずれも金属素材であるため、効果的に冷（或いは熱）エネルギーを伝導する。加えて、容器１１とエネルギー貯蔵筒２の間における液体４は、伝導媒体の役割を果たす。よって、エネルギー貯蔵筒２内の冷（或いは熱）エネルギーは、容器１１における複数のフィン１１１によって均一に伝動されるとともに、送風装置３のファンモジュール３２によって外部の空気中に放出される。以上の構造により、周囲の温度を調整することが可能なため、本考案のエネルギー貯蔵空調機は、周囲の温度調節用の冷媒を必要とせず、且つファンモジュール３２が低消費電力であることにより、従来の空調設備におけるコンプレッサーの高消費電力、及び使用冷媒による環境汚染を解消することができる。
【００１３】
前述の箱体１には更に少なくとも一つの第一係止部品１４が設けられ、ケース体３１には更に少なくとも一つの第二係止部品３１７が設けられ、第一係止部品１４と第二係止部品３１７は対応して互いに係止する。これにより、箱体１と送風装置３がしっかりと結合される。
【００１４】
前述の箱体１には、更に少なくとも一つのヒンジ５が設けられて、送風装置３と接続される。ヒンジ５によって送風装置３をフタのように開けることができるため、使用者が送風装置３の清掃やメンテナンスを行う際に便利である。
【００１５】
前述の箱体１の底部には、複数の滑車１３が設けられる。これにより、使用者が箱体１を動かしやすくなる。
【００１６】
送風装置３と箱体１は、密封ガスケット３１６によって隙間なく結合されるため、エネルギー貯蔵筒２内の冷（或いは熱）エネルギーが外に漏れることを効果的に防止できる。また同時に、密封ガスケット３１６によって、ファンモジュール３２の稼動時に生じる振動及び雑音を減少させることができる。
【符号の説明】
【００１７】
１            箱体
１１   容器
１１０ 収容スペース
１１１ フィン
１２   吸風口
１３   滑車
１４   第一係止部品
２            エネルギー貯蔵筒
２１   充填口
３            送風装置
３１   ケース体
３１１ 吹出口
３１２ 開口
３１３ 風向調整プレート
３１４ フィルター
３１５ 凸部
３１６ 密封ガスケット
３１７ 第二係止部品
３２   ファンモジュール
３３   制御モジュール
４            液体
５            ヒンジ
【図１】
0003193517.tif 000003
【図２】
0003193517.tif 000004
【図３】
0003193517.tif 000005
【図４】
0003193517.tif 000006
【図５】
0003193517.tif 000007